【事件の表示】
　特許第３１５０９４６号「絞り加工を利用した絞り染め縮み衣服」の請求項１に係る特許に対する特許異議の申立てについて、次のとおり決定する。
【結　論】
　訂正を認める。
　特許第３１５０９４６号の請求項１に係る特許を取り消す。
【理　由】
１．手続の経緯
　特許第３１５０９４６号の請求項１に係る発明についての出願は、平成１０年９月１日に特許出願され、平成１３年１月１９日にその発明について特許権の設定登録がなされ、その後、異議申立人浅井絞商事株式会社により異議申立がなされ、取消しの理由が通知され、その指定期間内である平成１４年４月１０日に訂正請求がなされた後、平成１４年６月７日に口頭審理が行われ、平成１４年６月２１日付けで特許権者より上申書が提出されたものである。
　
２．訂正の適否についての判断
(1)訂正の内容
ア．訂正事項ａ
　請求項１の記載を、訂正前の
「衣服素地の全体に三浦絞り、くも絞りを行って大人から子供まで利用可能に大幅に縮ませる絞り処理をして絞り加工製品を製造し、この絞り加工製品に絞り染め及び縮み加工を行い絞り染め縮み衣服を製造し、この衣服素地の全体の絞りに基づく伸縮性と、衣服素地の持つ物性を利用して、前記絞り染め縮み衣服のサイズを、大人から子供まで利用可能に大幅に縮ませたことを特徴とする絞り加工を利用した絞り染め縮み衣服。」から、訂正後の
「衣服素地の全体に三浦絞り、
又は
製造した絞り加工製品とし
って製造した絞り染め縮み衣服であって
この絞り染め縮み衣服のサイズを、前記衣服素地の持つ物性と、前記絞り処理と、前記絞り染め及び縮み加工とを介して大幅に縮めて、当該絞り染め縮み衣服を大人から子供まで利用可能な構成とした
イ．訂正事項ｂ
　段落【０００６】の「三浦絞り、くも絞り」及び、「絞り染め並びに縮み加工」を、それぞれ、「三浦絞り、
又は
及び
ウ．訂正事項ｃ
　段落【０００７】の「三浦絞り、くも絞り」、「絞り処理をして絞り加工製品を製造し」、「行い絞り染め縮み衣服を製造し」及び「この衣服素地の全体の絞りに基づく伸縮性と、衣服素地の持つ物性を利用して、前記絞り染め縮み衣服のサイズを、大人から子供まで利用可能に大幅に縮ませた」を、それぞれ、「三浦絞り、
又は
製造した絞り加工製品とし
って製造した絞り染め縮み衣服であって
この絞り染め縮み衣服のサイズを、前記衣服素地の持つ物性と、前記絞り処理と、前記絞り染め及び縮み加工とを介して大幅に縮めて、当該絞り染め縮み衣服を大人から子供まで利用可能な構成とした
エ．訂正事項ｄ
　段落【０００８】の「三浦絞り加工、くも絞り加工」を、「三浦絞り加工、又はくも絞り加工」とする訂正。
オ．訂正事項ｅ
　段落【０００９】の「三浦絞り加工、くも絞り加工」を、「三浦絞り加工、又はくも絞り加工」とする訂正。
カ．訂正事項ｆ
　段落【０００１１】の「三浦絞り1ａ、くも絞り1ｂ」を、「三浦絞り1ａ、又はくも絞り1ｂ」とする訂正。
キ．訂正事項ｇ
　段落【０００１４】の「三浦絞り、くも絞り」及び、「絞り染め並びに縮み加工」を、それぞれ、「三浦絞り、
又は
及び
　
(2)訂正の目的の適否、新規事項の有無及び拡張・変更の存否
ア．訂正事項ａについて
ア−１．「三浦絞り、くも絞り」を「三浦絞り、
又は
　特許明細書には、三浦絞りだけを施したものと、三浦絞りとくも絞りを施したものがそれぞれ実施例に記載されている。「三浦絞り、又はくも絞り」という記載は、どちらか一方の絞りでなければならないと特定するものではなく、両方の絞りを用いる場合も含むことは明らかであるから、特許明細書に記載された事項の範囲内の訂正であるといえる。
　そして、その訂正により、その意味するところが明りょうになったので、この訂正は明りょうでない記載の釈明を目的とする訂正であり、特許請求の範囲を拡張し、又は変更するものでもない。
ア−２．「絞り処理をして絞り加工製品を製造し」を「絞り処理をして
製造した絞り加工製品とし
　訂正前の記載をみると、「処理をして絞り加工製品を製造し」の後に、「、この絞り加工製品に絞り染め及び縮み加工を行い」と記載されているのであるから、訂正前の記載も、処理をして製造した絞り加工製品を示そうとしたものであるものと考えられる。
　してみると、この訂正は、前後の関係を明りょうにしようとする訂正であるので、明りょうでない記載の釈明を目的とした訂正であるといえる。
　絞り処理をして出来上がるものは絞り加工製品であることは明らかなので、特許明細書に記載された事項の範囲内の訂正であり、また、特許請求の範囲を拡張し、又は変更するものでもない。
ア−３．「この絞り加工製品に絞り染め及び縮み加工を行い絞り染め縮み衣服を製造し」を「この絞り加工製品に絞り染め及び縮み加工を行
って製造した絞り染め縮み衣服であって
　本件発明が「絞り染め縮み衣服」に関するものであり、かつ、「この絞り加工製品に絞り染め及び縮み加工を行い絞り染め縮み衣服を製造し」以降に記載されたものが、本件発明の効果を述べたものであることを考慮すれば、「この絞り加工製品に絞り染め及び縮み加工を行い絞り染め縮み衣服を製造し」という記載は、上記（アー２．）で述べたと同様、製造された縮み衣服を実質上意味していることは明らかである。
　してみると、この訂正は、明りょうでない記載の釈明を目的とした訂正であるといえる。そして、特許明細書に記載された事項の範囲内の訂正であり、また、特許請求の範囲を拡張し、又は変更するものでもない。
ア−４．「この衣服素地の全体の絞りに基づく伸縮性と、衣服素地の持つ物性を利用して、前記絞り染め縮み衣服のサイズを、大人から子供まで利用可能に大幅に縮ませたことを特徴とする」を「
この絞り染め縮み衣服のサイズを、前記衣服素地の持つ物性と、前記絞り処理と、前記絞り染め及び縮み加工とを介して大幅に縮めて、当該絞り染め縮み衣服を大人から子供まで利用可能な構成とした
　この訂正は、訂正前の「この衣服素地の全体の絞りに基づく伸縮性」の記載内容をより明確にしようとした訂正であるので、明りょうでない記載の釈明を目的とした訂正である。
　そして、特許明細書に記載された事項の範囲内の訂正であり、また、特許請求の範囲を拡張し、又は変更するものでもない。
　
イ．訂正事項ｂ〜ｇについて
　訂正事項アで述べた理由から、これらの訂正は、、明りょうでない記載の釈明を目的とした訂正である。
　そして、特許明細書に記載された事項の範囲内の訂正であり、また、特許請求の範囲を拡張し、又は変更するものでもない。
　
(3)むすび
　以上のとおりであるから、上記訂正は、特許法第１２０条の４第２項及び同条第３項で準用する第１２６条第２，３項の規定に適合するので、当該訂正を認める、
　
３．特許異議の申立てについて
(1)申立の理由の概要
　異議申立人浅井絞商事株式会社は、甲第１号証（「ＳＯＥＮ」1996年9月号、第40〜41頁、文化出版局、1996年9月1日発行）、甲第２号証（「モードのジャポニズム」1996年、京都服飾文化研究財団編東京クリエイションフェスティバル実行委員会発行）及び甲第３号証（「ハイファッション」1996年5月号、第46〜47頁、文化出版局、1996年5月1日発行）を提出し、本件の請求項１に係る発明の特許は特許法第２９条第２項の規定に違反してなされたものであるから、特許を取り消すべき旨主張し（申立理由１）、さらに、特許請求の範囲の記載では発明の特定ができないので、本件の請求項１に係る発明の特許は特許法第３６条第５項及び第６項第２号の規定に違反してなされたものであるから、特許を取り消すべき旨主張し（申立理由２）、また、物の発明である請求項１に係る発明を製造方法で特定しているのであるから、異なる方法で製造したものであっても製造されたものに違いがなければ新規性は否定されるとして、請求項１に係る発明は、甲第３号証に記載された発明であるので、本件の請求項１に係る発明の特許は特許法第２９条第１項第３号の規定に違反してなされたものであり、特許を取り消すべき旨を主張している（申立理由３）。
　
(2)本件発明
　上記訂正請求が認められるので、本件の請求項１に係る発明（以下、「本件発明」という。）は、平成１４年４月１０日付けの訂正明細書の特許請求の範囲の請求項１に記載された事項により特定される次のとおりのものである。
「衣服素地の全体に三浦絞り、又はくも絞りを行って大人から子供まで利用可能に大幅に縮ませる絞り処理をして製造した絞り加工製品とし、この絞り加工製品に絞り染め及び縮み加工を行って製造した絞り染め縮み衣服であって、この絞り染め縮み衣服のサイズを、前記衣服素地の持つ物性と、前記絞り処理と、前記絞り染め及び縮み加工とを介して大幅に縮めて、当該絞り染め縮み衣服を大人から子供まで利用可能な構成としたことを特徴とする絞り加工を利用した絞り染め縮み衣服。」
　
(3)取消理由に引用された刊行物
　当審が通知した取消しの理由に引用した刊行物１（異議申立人の提出した甲第１号証：「ＳＯＥＮ」1996年9月号、第40〜41頁、文化出版局、1996年9月1日発行）、刊行物２（異議申立人の提出した甲第２号証：「モードのジャポニズム」1996年、京都服飾文化研究財団編　東京クリエイションフェスティバル実行委員会発行）、刊行物３（異議申立人の提出した甲第３号証：「ハイファッション」1996年5月号、第46〜47頁、文化出版局、1996年5月1日発行）にはそれぞれ以下の事項が記載されている。
                            　
【刊行物１：「ＳＯＥＮ」1996年9月号、第40〜41頁、文化出版局、1996年9月1日発行】
　衣服ブランド「ＩＳＳＥＹ　ＭＩＹＡＫＥ　ＰＥＲＭＡＮＥＮＴＥ」の衣服を着用したモデル写真の解説記事には、（ア）「・・・・・。持ち運びも、ぐしゅっとたたんで、カンタン、ラクチン。ほっそり長いシルエットで颯爽と風を切って歩こうよ。」（第40頁）、（イ）「・・・・・・ほっそりシルエットなのに伸縮自在。」（第40頁）、（ウ）「シルクシフォンの生地に絞りを施し、加工して縮めたぴったりフィットのトップ。ビビッドカラーが楽しい着こなしに見せて。」（第41頁）、（エ）「ギザギザの凹凸が、まるでひとでかうにのようなかわいらしいトップ。ぐしゅっとたたんでコンパクトに持ち歩こう」（第41頁）と記載されている。
【刊行物２：「モードのジャポニズム」1996年、第160〜163頁、京都服飾文化研究財団編東京クリエイションフェスティバル実行委員会発行】
　衣服ブランド「ＰＬＥＡＴＳ　ＰＬＥＡＳＥ　ＩＳＳＥＩ　ＭＩＹＡＫＥ」の衣服写真（第160頁）の解説として、（オ）「プリーツ・プリーズも、製品プリーツ加工、即ち、原型に近いシンプルな形の服に成型してから、袖などの機能を考慮して方向を定め、半永久的な熱処理プリーツをかける。元の寸法や形は大きく変化して二次元的に仕上がるが、着装すると立体になる。・・・・・」（第163頁）が記載されており、また、衣服ブランド「ＭＡＵＲＩＺＩＯ　ＧＡＬＡＮＴＥ」の衣服写真（第161頁）の解説として、（カ）「グリーンの有松絞り。・・・・・・・・・（中略）・・・・・・。とりわけ絞りをストレッチ性の素材としてとらえた本品は、第二の皮膚のようにぴったりと身体を包み込む。・・・・・」（第163頁）が記載されている。
【刊行物３：「ハイファッション」1996年5月号、第46〜47頁、文化出版局、1996年5月1日発行】
　第46頁には、衣服ブランド「ＩＳＳＥＹ　ＭＩＹＡＫＥ　ＰＥＲＭＡＮＥＮＴＥ」の絞りを施した衣服４点の写真が掲載されており以下の解説が記載されている。
（キ）「・・・・・。平行に運針をして絞る、杢目絞りという手仕事によるテクニックを用いてむら染めにした、しなやかな凹凸感が優雅。」、（ク）「・・・・・。絞りの型を定着させるために、塩縮絞りというテクニックが加えられている。」、（ケ）「濃紺のシルクに金糸を添えたモダンなテクスチャーに、インパクトのある絞りの凹凸感で独特の表情を描いて。機械ぐもと呼ばれる絞りの一種。」、（コ）「フジツボのような突起がユニークなポリエステルの絞りは、高温の熱処理によって形崩れを防ぐ。滑りのある光沢感が、天然素材とは異なる表面効果を生み出す。」
　第47頁には、「衣服の根源、不易の小宇宙」と題する、衣服ブランド「ＩＳＳＥＹ　ＭＩＹＡＫＥ　ＰＥＲＭＡＮＥＮＴＥ」についてのエッセイ記事が記載されている。
（サ）「・・・・・・・。
　絞り染めは何種類かあった。
　杢目絞りと聞かされたものは、縫絞りの一種か。布を縫い、その糸を引き締め、その部分に染料がしみ込まないようにしたもの。それを伸ばせば、柄ができ上がるのだが、ペルマネンテの絞りは糸を引き締めた状態に近く、プリーツのような凹凸感を際立たせている。これはブラウスやスカーフなどを折りたたんで糸を縫いつけ、絞るので、縫う手間が少なく効率的で、しかも思いもよらない染めむらができてくるという。・・・（中略）・・・熱い赤が見え隠れする。
　くも絞りは、布をつまみ上げ、糸を螺旋に巻き上げていく。しみ染めした柄がくもの巣に似ていることからこう呼ばれている。手で巻き上げるもの（手回しぐも）が柄が小さく、機械を使ったもの（機械ぐも）はちょっと大きめに仕上がっている。これらも杢目絞り同様、凹凸感が特徴だ。小さなタンクトップは、フジツボのようなスパイラルの突起に全体がおおわれている。甲虫のようにかたそうでソフト。重そうで軽やか。着れば、自らのわずかの重みでスパイラルが伸び、ばねのようにリズミカルに振れる。」
　
(4)対比・判断
　刊行物３には「杢目絞りと聞かされたものは、縫絞りの一種か。布を縫い、その糸を引き締め、その部分に染料がしみ込まないようにしたもの。それを伸ばせば、柄ができ上がるのだが、ペルマネンテの絞りは糸を引き締めた状態に近く、プリーツのような凹凸感を際立たせている。
これはブラウスやスカーフなどを折りたたんで糸を縫いつけ、絞るので、
　杢目絞りは、伝統的な絞り技法の一つであり、布地を５〜１０ミリ間隔で平行段に総縫して絞る技法であり、刊行物３に記載された杢目絞りの衣服は、絞り染めによる染めむら効果だけでなく、「絞りは糸を引き締めた状態に近く、プリーツのような凹凸感を際立たせている。」という記載からみても、縮み加工による伸縮性を有していることが明らかである。
　ところで、刊行物３で紹介された衣類は、「ISSEY　MIYAKE」で知られる有名な衣類ブランドの一つであって、上記記載（サ）に記載された「ペルマネンテ」は、刊行物１に記載された衣類ブランドである「ISSEY　MIYAKE　PERMANENTE」と同じものであり、また、「プリーツ」は、直接には「ひだ」を意味する語ではあるが、記事内容が「ISSEY　MIYAKE」の製品紹介であることからみて、「プリーツ」という語は、当業者に、刊行物２に例示されたような「ISSEY　MIYAKE」の周知ブランドである「PLEATS　PLEASE　ISSEY　MIYAKE」を容易に想起させる語であるともいえる。「PLEATS　PLEASE　ISSEY　MIYAKE」は、衣服に伸縮性を与えるために縫製後にプリーツ加工したことで広く知られていた衣類ブランドであるが、縫製後に杢目絞りを施すことで得られる伸縮性を、伸縮性でよく知られた当該ブランド衣類と対比することで、表現しているものとも推察できる。
　　　
　そこで、本件発明と、刊行物３に記載された杢目絞り加工のブラウスとを比較すると、両者は、衣服素地の全体に絞りを行って伸縮性を与える絞り処理をして製造した絞り加工製品とし、この絞り加工製品に絞り染め及び縮み加工を行って製造した絞り染め縮み衣服であって、この絞り染め縮み衣服のサイズを、前記衣服素地の持つ物性と、前記絞り処理と、前記絞り染め及び縮み加工とを介して伸縮性を与えるようにしたことを特徴とする絞り加工を利用した絞り染め縮み衣服、である点で一致し、以下の点で相違している。
 　
相違点：本件発明が、三浦絞り、又はくも絞りを施すことによって、あらゆる方向に伸縮性を与えることができ、その結果、大人から子供まで利用可能に大幅に縮ませることを可能としているのに対し、刊行物３に記載のものは、伸縮性を与えるものではあるものの、絞りの種類が杢目絞りであり、一方向にのみ伸縮性を与えるものであるので、大人から子供まで利用可能なものではない点。
　
　相違点について、検討する。
　
（杢目絞りとくも絞り）
　刊行物３の記載（サ）を参照すると、杢目絞りによる製品の紹介に続いて、くも絞りによる製品が紹介されており、「これらも杢目絞り同様、凹凸感が特徴だ。」と、杢目絞りと対比した記載がある。ここに記載されている、杢目絞りの製品も、くも絞りの製品も、何れも、「ペルマネンテ」というブランドで提供されているものであり、記載（サ）からは、このことが明らかに読みとることができる。
　この中では、杢目絞りによる衣類製品も、くも絞りによる衣類製品も、何れも伸縮性にとんだ製品として紹介がなされている。
　
（縫製と伸縮性）
　刊行物３の記載（サ）には、上記で述べたように、縫製した後に杢目絞りを施すことによって、杢目絞りが本来有している伸縮性を損なうことがないようにすることが記載されているが、さらに、杢目絞りに似たプリーツ加工においても、伸縮性を与える加工を施す場合には、加工を縫製後に行えば伸縮性が損なわれないことは当業者にはよく知られていることを考慮すれば、一つの記事（記載（サ））の中で、くも絞りによる製品が、伸縮性を有する製品として杢目絞りの製品と対比して記載されているのであるから、くも絞りによる衣類製品についても、杢目絞りに倣って縫製後に絞り加工を施すことは当業者が容易に想到できたものと認められる。
　そして、縫製後に絞り加工を施せば、くも絞りにより本来得られるであろう伸縮性が損なわれないであろうことは、当業者が容易に予測できたことと認められる。
　ところで、権利者は、乙第１号証を提示して、刊行物３に記載のくも絞り加工を施した製品は、明らかに縫製前に絞り加工を施したものであることは明らかであるので、その事実からみて、縫製後に絞り加工を施そうとする技術思想自体がなかったことを証明している旨を主張している。（特許異議意見書第３頁参照））
　しかしながら、プリーツ加工のような伸縮加工によって得られる伸縮性は縫製によって損なわれるので、縫製後に伸縮加工を施せば、その伸縮性が損なわれないのだということは広く知られており、また、伸縮性を与えることができる絞り加工として、くも絞りと対比して紹介されている杢目絞り加工について縫製後に絞りを行うことが刊行物３には明記されているのであるから、仮にそうした技術思想がなかったとしても、縫製後にくも絞り加工を行うことは当業者が容易に想到できた程度のものと認められる。
　
（技術的困難性、阻害要因）
　また、権利者は、縫製後に絞り加工を施そうと試みること自体には格別の困難はないとしても、杢目絞りと異なりくも絞り（あるいは三浦絞り）の場合には、縫製後の衣類製品に絞り加工を施すことは、縫製前の絞り加工に比べて技術的に困難な面を有しており、本件発明は、そした技術的困難性を克服したから縫製後にくも絞り（あるいは三浦絞り）加工を施すことができた旨主張している。
　そして、平成１４年６月２１日付け特許異議上申書において、（ａ）立体的な衣服素地の全体を略均一に絞ること、（ｂ）立体的な衣服素地の外側に向かって絞ることから特殊な絞り作業ができること、（ｃ）任意の箇所に絞り作業ができること、（ｄ）逢着部の縮みを確保できることを、それぞれ技術的困難性の具体的理由としてあげている。
　しかしながら、権利者が具体的理由として指摘する上記事項（ｂ）〜（ｄ）は、「できること」という表現からみて本件発明の作用効果とでもいうべき事項であり、縫製後の衣類製品にくも絞り（あるいは三浦絞り）を施す際の技術的困難性を意味するものではない。
　そこで、（ａ）については、その技術的困難性について検討すると共に、（ｂ）〜（ｄ）については、その主張する内容について、それぞれ、検討を行うこととする。
（ａ）について：
　刊行物３の第46頁には、衣服４点の写真が掲載されているが、そのうち、左下の写真は、「機械ぐもと呼ばれる絞り」によって絞られた衣服であり、絞りが衣服全体に略均一に施されている。当該写真の衣服は縫製前に絞ったものか、縫製後に絞ったものかは明らかでないが、衣服全体に絞りが略均一に施されていることは明らかである。
　権利者の主張は、縫製後の衣類製品にくも絞り（あるいは三浦絞り）を生地全体に略均一に施すことが技術的な困難さを伴うものであるとの主張であるが、明細書には、その困難性をどのように克服するかについての技術的開示はなく、ただ単に、「縫製後の衣服素地の全体を略均一に絞ること」が記載されているのみであるので、縫製後の衣服素地全体に絞りを略均一に施すことに格別の困難があったとする権利者の主張は明細書の記載に基づかない主張である。
　よって、権利者の主張は採用しない。
（ｂ）について：
　「立体的な衣服素地の外側に向かって絞ることから特殊な絞り作業ができること」の意味するところ自体が明らかでないが、衣服素地の外側に向かって絞ることについては明細書には何ら記載されておらず、主張自体が明細書の記載に基づかない主張である。
（ｃ）について：
　一般に、くも絞りや三浦絞りを施す場合、どこを絞るかは、制作者が適宜選択できる程度の事項であり、縫製後の衣服素地にくも絞り（あるいは三浦絞り）を施そうとすれば、その絞りを行う場所の選定は当業者が衣服の形体等に対応して適宜行うことができるものと認められる。したがって、この主張は、技術的困難性を意味する主張ではないことは明らかであり、また、本願発明の奏する格別の効果といえるものでもない。
（ｄ）について：
　縫製後の衣服素地に絞りを施すのであるから、逢着部にも絞りを施すことは容易にできるので、逢着部の縮みを確保できることは明らかである。してみると、縫製後に絞りをすることによって生じる作用効果とはいえるものの、技術的困難性を意味するものではない。
　
　以上のように、「縫製後の衣類製品にくも絞り（あるいは、三浦絞り）加工を施すことは、縫製前の絞り加工に比べて技術的に困難な面を有している」との権利者の主張を検討したが、その主張は採用できないので、本件発明は、刊行物１乃至３に記載されたものから当業者が容易に発明できたものである。
　
(5)むすび
　したがって、本件発明の特許は、特許法第２９条第２項の規定に違反してされたものであるから、同法第１１３条第２号に該当し、取り消されるべきものである。
　よって、結論のとおり決定する。
【異議決定日】
平成１４年７月８日（２００２．７．８）
【訂正の要旨】
訂正の要旨
ア．訂正事項ａ
　請求項１の記載を、訂正前の
「衣服素地の全体に三浦絞り、くも絞りを行って大人から子供まで利用可能に大幅に縮ませる絞り処理をして絞り加工製品を製造し、この絞り加工製品に絞り染め及び縮み加工を行い絞り染め縮み衣服を製造し、この衣服素地の全体の絞りに基づく伸縮性と、衣服素地の持つ物性を利用して、前記絞り染め縮み衣服のサイズを、大人から子供まで利用可能に大幅に縮ませたことを特徴とする絞り加工を利用した絞り染め縮み衣服。」から、訂正後の
「衣服素地の全体に三浦絞り、
又は
製造した絞り加工製品とし
って製造した絞り染め縮み衣服であって
この絞り染め縮み衣服のサイズを、前記衣服素地の持つ物性と、前記絞り処理と、前記絞り染め及び縮み加工とを介して大幅に縮めて、当該絞り染め縮み衣服を大人から子供まで利用可能な構成とした
イ．訂正事項ｂ
　段落【０００６】の「三浦絞り、くも絞り」及び、「絞り染め並びに縮み加工」を、それぞれ、「三浦絞り、
又は
及び
ウ．訂正事項ｃ
　段落【０００７】の「三浦絞り、くも絞り」、「絞り処理をして絞り加工製品を製造し」、「行い絞り染め縮み衣服を製造し」及び「この衣服素地の全体の絞りに基づく伸縮性と、衣服素地の持つ物性を利用して、前記絞り染め縮み衣服のサイズを、大人から子供まで利用可能に大幅に縮ませた」を、それぞれ、「三浦絞り、
又は
製造した絞り加工製品とし
って製造した絞り染め縮み衣服であって
この絞り染め縮み衣服のサイズを、前記衣服素地の持つ物性と、前記絞り処理と、前記絞り染め及び縮み加工とを介して大幅に縮めて、当該絞り染め縮み衣服を大人から子供まで利用可能な構成とした
エ．訂正事項ｄ
　段落【０００８】の「三浦絞り加工、くも絞り加工」を、「三浦絞り加工、又はくも絞り加工」とする訂正。
オ．訂正事項ｅ
　段落【０００９】の「三浦絞り加工、くも絞り加工」を、「三浦絞り加工、又はくも絞り加工」とする訂正。
カ．訂正事項ｆ
　段落【０００１１】の「三浦絞り１ａ、くも絞り１ｂ」を、「三浦絞り１ａ、又はくも絞り１ｂ」とする訂正。
キ．訂正事項ｇ
　段落【０００１４】の「三浦絞り、くも絞り」及び、「絞り染め並びに縮み加工」を、それぞれ、「三浦絞り、
又は
及び
（５４）【発明の名称】
絞り加工を利用した絞り染め縮み衣服
（５７）【特許請求の範囲】
　【請求項１】　衣服素地の全体に
三浦絞り、又はくも絞り
絞り処理をして製造した絞り加工製品とし、
行って製造した絞り染め縮み衣服であって、
　
この絞り染め縮み衣服のサイズを、前記衣服素地の持つ物性と、前記絞り処理と、前記絞り染め及び縮み加工とを介して大幅に縮めて、当該絞り染め縮み衣服を大人から子供まで利用可能な構成としたこと
【発明の詳細な説明】
　【０００１】
　【発明の属する技術分野】
　本発明は、絞り加工を利用した絞り染め縮み衣服に関する。
　【０００２】
　【従来の技術】
　従来、絞り製品は、各種の絞り加工をして絞り込んだ箇所又は被覆した箇所等の各箇所に染料を染み込ませず、柄として表現する方法、この絞り込んだ箇所又は被覆した箇所等の各箇所に予め染着すること、又はこの各箇所に後程染着すること等は自由である。そして、柄の表現方法、染着方法等は、極めて多種に及ぶことは周知である。
　【０００３】
　これらの絞り加工は、柄又は紋様等を表現し、手絞りの伝統工芸の伝承を図りつつ、絞物（衣服）としての装飾性・美的感覚・趣等を高めるために採用されているのが現況である。そして、浴衣、ブラウス等の綿製品（綿素材）においては、高級感覚を付与できる利点と、この高級感覚を付与したことにより、例えば、外出着、訪問着としての活用も可能となる等の利点等が実益に役立っている。
　【０００４】
　【発明が解決しようとする課題】
　前述の如く、絞り加工は、絞物としての装飾性・美的感覚・趣等を高めるために採用されており、また浴衣、ブラウス等の綿製品では、高級感覚を付与することと、外出着、訪問着としての活用も可能となる等の利点が発揮されているのが現況である。しかし、このような利用の仕方では、絞物の一面的な活用にしかすぎない処である。
　【０００５】
　例えば、この絞り加工に基づく伸縮性と、衣服素地の持つ物性とを有効利用することにより、より優れた機能及び商品価値の向上又は利用の分野が開かれることは明白であります。一例としては、伸縮性及び物性を利用して、伸縮性のブラウス等の衣服を製造し、この衣服は、人体のボディにフィットし、かつボディの線をやさしく、しかもしわの発生もなく表現できること（美しく女らしいボディラインを遺憾無く表現できること）、又はブラウスの小寸法を利用してコンパクトに収容でき、旅行、収容等に役立てること、等の利点が考えられる。又は衣服が本来必要とする機能にも利用できる。例えば、袖口の絞り、腹部の絞り等の機能として役立てる。
　【０００６】
　【課題を解決するための手段】
　請求項１の発明は、衣服素地の全体を、大人から子供まで利用可能に大幅に縮ませる絞り処理、即ち、三浦絞り、又はくも絞りをして絞り加工製品を製造し、この絞り加工製品に
絞り染め及び縮み加工
　【０００７】
　請求項１は、衣服素地の全体に
三浦絞り、又はくも絞り
絞り処理をして製造した絞り加工製品とし、
行って製造した絞り染め縮み衣服であって、
　
この絞り染め縮み衣服のサイズを、前記衣服素地の持つ物性と、前記絞り処理と、前記絞り染め及び縮み加工とを介して大幅に縮めて、当該絞り染め縮み衣服を大人から子供まで利用可能な構成としたこと
　【０００８】
　【発明の実施の形態】
　▲１▼　衣服素地（図１参照）の略全体に大人から子供まで利用可能に大幅に縮ませる三浦絞り加工、又はくも絞り加工の絞り処理を施して絞り加工製品とする（図２（ａ）参照）。この絞り加工製品を、浸漬等の従来方法により染着する。この染着された衣服素地に熱処理を行う。例えば、ポリエステル素材の場合には、釜の温度は略１１０℃〜１３０℃程度、時間は略１０分〜２０分程度で熱処理して縮める。この熱処理後、仕上げ加工を行う（図３、図４参照）。尚、染着、熱処理（縮み）の加工順序、時間等は、同時、個別、順序の変更等は自由であり、各種製品の種類、コスト、工程の簡略化、設備、各種処理の仕方等で選択される。
　【０００９】
▲２▼　衣服素地（図１参照）の略全体に大人から子供まで利用可能に大幅に縮ませる三浦絞り加工、又はくも絞り加工の絞り処理を施して絞り加工製品とする（図２（ｂ）参照）。この絞り加工製品を、浸漬等の従来方法により染着する。この染着された衣服素地に熱処理を行う。例えば、ポリエステル素材の場合は、前述▲１▼と略同様である（図５参照）。
　【００１０】
　【実施例】
　以下、本発明の一実施例を図面に基づいて説明する。
　【００１１】
　衣服素地１の全体１１１を、三浦絞り１ａ、又はくも絞り１ｂの伝統的な絞り加工により、大人から子供まで利用可能に大幅に縮ませる絞り処理で絞り加工製品２を製作する。この絞り加工製品２を浸染、他の染色方法で染着する。この染着した絞り加工製品（図示せず）に縮み加工、例えば、熱処理を行って絞り染め縮み衣服３を製造する。
　【００１２】
　この縮み加工は、図４の絞り染め縮み衣服３の全体に設けた構成例、図５の絞り染め縮み衣服３に変化を持たせた構成例がある。
　【００１３】
　尚、図１に示す衣服素地１のサイズ（寸法表示）の一例を説明すると、肩幅が５５ｃｍ、胸・胴が７０ｃｍ、丈が８０ｃｍ、袖を広げた全体の肩幅１１５ｃｍ、である。図４、図５、図８に示した絞り染め縮み衣服３のサイズ（寸法表示）の一例を説明すると、肩幅が１６ｃｍ、胸・胴が２０ｃｍ、丈が２５ｃｍ、袖を広げた全体の肩幅３３ｃｍ、である。また図９に示す拡大した絞り染め縮み衣服３のサイズ（寸法表示）の一例を説明すると、肩幅が５２ｃｍ、胸・胴が６３ｃｍ、丈が７５ｃｍ、袖を広げた全体の肩幅１０５ｃｍ、である。従って、この例では、人体のボディにフィットできる伸縮性を備えた所定サイズのブラウスを製造できるので、例えば、この所定サイズのブラウス（一着のブラウス）を、大人から子供まで利用できる。尚、前述のサイズ（寸法表示）は一例であり、前記【発明の実施の形態】の▲１▼の例を参考とした。
　【００１４】
　【発明の効果】
　請求項１の発明は、衣服素地の全体を、大人から子供まで利用可能に大幅に縮ませる絞り処理、即ち、三浦絞り、又はくも絞りをして絞り加工製品を製造し、この絞り加工製品に
絞り染め及び縮み加工
【図面の簡単な説明】
　【図１】
　衣服素地の展開状態を示す図である。
　【図２】
　衣服素地の絞り加工の過程を縮尺して示す図であり、（ａ）は三浦絞り加工を示し、（ｂ）は三浦絞り及び括り加工を示したものである。
　【図３】
　図２（ａ）に示した絞り加工を利用した衣服素地の全体を示した斜視図である。
　【図４】
　図２（ａ）に示した絞り加工を利用した絞り染め縮み衣服を示した斜視図である。
　【図５】
　他の絞り加工を利用した絞り染め縮み衣服を示した斜視図である。
　【図６】
　図４に示す絞り染め縮み衣服を子供が着用した一例を示した図である。
　【図７】
　図４に示す絞り染め縮み衣服を大人が着用した一例を示した図である。
　【図８】
　図４に示す絞り染め縮み衣服が縮んだ状態で寸法表示した図である。
　【図９】
　図４に示す絞り染め縮み衣服が拡大した状態で寸法表示した図である。
　【符号の説明】
　１　　　衣服素地
　１１１　全体
　１ａ　　三浦絞り
　１ｂ　　くも絞り
　２　　　絞り加工製品
　３　　　絞り染め縮み衣服